(57)【要約】【課題】感圧接着剤層を２箇所備え、該感圧接着剤層を互いに押し圧させて接着させることによって、対象物に巻きつけることを可能とする巻きつけラベルにおいて、一度、対象物に巻きつけられた、巻きつけラベルの再使用が防止されることが可能な、再使用防止機能付巻きつけラベルを提供する。【解決手段】基材シートにおいて感圧接着剤層を有する感圧接着剤層領域を２箇所設け、上記感圧接着剤層を互いに圧着させることによって巻きつけ状態を実現する、巻きつけラベルにおいて、上記基材シートの適切な領域において、該基材シートの短軸方向に伸長する２本の切り込み線を形成する。【選択図】図４
2011085624.tif 000002
【特許請求の範囲】
【請求項１】
略長方形の基材シートの両端部において、上記基材シートの短軸方向に伸長する帯状の感圧接着剤層がそれぞれ形成され、これによって上記感圧接着剤層を有する感圧接着剤層領域を２箇所備えており、
基材シート端部側に位置する上記感圧接着剤層領域周縁を外側周縁、基材シート中央側に位置する上記感圧接着剤層領域周縁を内側周縁としたときに、
上記基材シート上において、
一方の感圧接着剤層領域の内側周縁近傍に、上記基材シートの短軸方向に伸長する切り込み線が設けられており、且つ、
上記２箇所の感圧接着剤層領域のいずれか一方の領域の外側周縁近傍に、上記基材シートの短軸方向に伸長する切り込み線が設けられているか、あるいは、上記２箇所の感圧接着剤層領域のいずれか一方の領域において、内側周縁近傍および外側周縁近傍を除く該感圧接着剤層領域内において、上記基材シートの短軸方向に伸長する切り込み線が設けられていることを特徴とする再使用防止機能つき巻きつけラベル。
【請求項２】
上記内側周縁近傍が、上記内側周縁の外側２ｍｍ以内、内側２ｍｍ以内の範囲であり、上記外側周縁近傍が、上記外側周縁の外側２ｍｍ以内、内側２ｍｍ以内の範囲であることを特徴とする請求項１に記載の再使用防止機能つき巻きつけラベル。
【発明の詳細な説明】
【技術分野】
【０００１】
本発明は、対象物に巻きつけて使用することを予定するラベルに関し、より詳しくは、一度、対象物に巻きつけて使用したラベルの再使用を防止する機能を有する、巻きつけラベルに関する。
【背景技術】
【０００２】
従来から、鉄道や電車等の駅前に、乗客がオートバイや自転車等の二輪車を一時的に駐車できる駐輪場が備えられており、また、スーパーマーケットやデパート等においても、買物客用の一時駐輪場が備えられている。これらの駐車場においては、整理員がオートバイや自転車等を整理し、管理し、乗客等の目的を達成した後にオートバイや自転車等を引き渡すことが頻繁に行われている。上記駐輪場において、該二輪車の駐輪状態を示すための駐輪券として、ハンドルなどに任意の箇所に巻きつけられる、巻きつけラベルが使用されている。
【０００３】
また、スーパーマーケットなどでは、店内において購入する商品を店舗の用意した買い物カゴに入れ、最後に精算所に行き、清算を済ませた後に、精算所で渡された店の袋か、あるいは持参した袋に購入した商品を詰めることが一般的である。しかしながら清算後の商品を袋に詰める作業台は、清算所を通過した者以外も容易に行き来することができるため、商品の入った買い物カゴを有する人が、精算所を通過した人なのか、未清算の商品を持っている人なのかは、容易に見分けがつかないという問題があった。そこで、清算所において、清算時に、買い物カゴの柄などの任意の箇所に、清算済みを示す巻きつけラベルを巻きつけることによって、買い物カゴに入った商品が清算済みか否かを容易に見分けることができる。
【０００４】
上述のように、巻きつけラベルは、容易且つ短時間に使用することができ、ラベルに示す表記の内容によって、駐輪状態であることや、清算済みであることなど、所望のメッセージを見やすく表示することができる。
【０００５】
従来においては、上記巻きつけラベルとして、ラベルの両端を重ね合わせ、ホチキスなどの留め部材で留め合わせるものが使用されていたが、ホチキスなどの使用は、多数の巻きつけラベルを、短時間で留め合わせることが必要な場合には、繰り返しの作業が作業員の負担になるという問題があった。そこで、本出願人は、先に、感圧接着剤層を備える一時駐車整理券を開発した（たとえば特許文献１）。かかる一時駐車整理券では、２箇所の感圧接着剤層同士が互いに圧着されることによって、容易に対象物にラベルを巻きつけることができるため、従来の巻きつけラベルと比較して、巻きつけ作業の負担が著しく軽減される。
【先行技術文献】
【特許文献】
【０００６】
【特許文献１】特願２０００−２５２２７６号公報
【発明の概要】
【発明が解決しようとする課題】
【０００７】
ここで、上記巻きつけラベルは、通常、一度きりの使用を予定しており、使用した後は、廃棄されることが望ましい。
したがって、本出願人が開発した感圧接着剤層を備える一時駐車整理券などの巻きつけラベルにおいても、巻きつけられたラベルの切り離しを容易にするために、巻きつけラベルを構成する基材シートとして、厚みの薄い紙素材を選択するなどしていた。
【０００８】
しかしながら、２箇所の感圧接着剤層を互いに圧着して接着領域を形成し、対象物に巻きつけラベルを巻きつけた状態とした後、圧着された２つの感圧接着剤層を、丁寧に引き剥がすと、破損することなく、巻きつけラベルを取り外すことが可能である。このように、実質的に破損がない状態で取り外された巻きつけラベルを、再使用する違反者が存在し、問題であった。
【０００９】
本発明は、上記問題点を鑑みなされたものであり、一度、対象物に巻きつけられた、巻きつけラベルの再使用が防止されることが可能な、再使用防止機能付巻きつけラベルを提供することを目的とするものである。
【課題を解決するための手段】
【００１０】
本発明の再使用防止機能付巻きつけラベルは、基材シートにおいて感圧接着剤層を有する感圧接着剤層領域を２箇所備え、上記感圧接着剤層を互いに圧着させることによって巻きつけ状態を実現する、巻きつけラベルであって、上記基材シートの適切な領域において、該基材シートの短軸方向に伸長する２本の切り込み線が設けられることにより、再使用防止機能が付与されることを基本的特徴とするものである。
【００１１】
即ち本発明は、
（１）略長方形の基材シートの両端部において、上記基材シートの短軸方向に伸長する帯状の感圧接着剤層がそれぞれ形成され、これによって上記感圧接着剤層を有する感圧接着剤層領域を２箇所備えており、基材シート端部側に位置する感圧接着剤層領域周縁を外側周縁、基材シート中央側に位置する感圧接着剤層領域周縁を内側周縁としたときに、上記基材シート上において、一方の感圧接着剤層領域の内側周縁近傍に、上記基材シートの短軸方向に伸長する切り込み線（以下、「切り込み線Ａ」ともいう）が設けられており、且つ、上記２箇所の感圧接着剤層領域のいずれか一方の領域の外側周縁近傍に、上記基材シートの短軸方向に伸長する切り込み線（以下、「切り込み線Ｂ」ともいう）が設けられているか、あるいは、上記２箇所の感圧接着剤層領域のいずれか一方の領域において、内側周縁近傍および外側周縁近傍を除く該感圧接着剤層領域内において、上記基材シートの短軸方向に伸長する切り込み線（以下、切り込み線Ｃ）ともいう）が設けられていることを特徴とする再使用防止機能つき巻きつけラベル、
（２）上記内側周縁近傍が、上記内側周縁の外側２ｍｍ以内、内側２ｍｍ以内の範囲であり、上記外側周縁近傍が、上記外側周縁の外側２ｍｍ以内、内側２ｍｍ以内の範囲であることを特徴とする上記（１）に記載の再使用防止機能つき巻きつけラベル、
を要旨とするものである。
【００１２】
尚、本発明における切り込み線であって、感圧接着剤層領域内に形成される切り込み線は、基材シートのみを切り込んで形成された切り込み線、および基材シートと感圧接着剤層とを切り込んで形成された切り込み線のいずれも含む。
【発明の効果】
【００１３】
本発明の再使用防止機能付巻きつけラベル（以下、単に「巻きつけラベル」ともいう）は、基材シートの端部側に２箇所の感圧接着剤層が設けられており、上記２箇所の感圧接着剤層を互いに押し圧して、接着させることによって、接着領域が形成される。この結果、互いに接着した感圧接着剤層間が輪となる。したがって、任意の対象物に巻きつけながら、上記接着領域を形成することによって、容易且つ速やかに対象物に巻きつけることができる。
【００１４】
ここで、本発明の巻きつけラベルは、一方の感圧接着剤層領域の内側周縁近傍に、上記基材シートの短軸方向に伸長する切り込み線Ａが設けられている。また、本発明の巻きつけラベルは、上記２箇所の感圧接着剤層領域のいずれか一方の領域の外側周縁近傍に、上記基材シートの短軸方向に伸長する切り込み線Ｂが設けられているか、あるいは、上記２箇所の感圧接着剤層領域のいずれか一方の領域において、内側周縁近傍および外側周縁近傍を除く該感圧接着剤層領域内において、上記基材シートの短軸方向に伸長する切り込み線Ｃが設けられている。
【００１５】
したがって、本発明の巻きつけラベルを対象物に巻きつけた後、上記接着領域を巻きつけラベルの輪の内側から外側に向かって引き剥がそうとした場合、あるいは上記接着領域を巻きつけラベルの輪の外側から内側に向かって引き剥がそうとした場合のいずれであっても、上記切り込み線Ａあるいは、上記切り込み線ＢまたはＣに力がかかり、力のかかった切り込み線の少なくとも一部が切断される。
【００１６】
上述のとおり、本発明の巻きつけラベルは、対象物に巻きつけられた後、接着領域を引き剥がして対象物から取り外そうとした場合に、必ず、切り込み線Ａ、並びに、切り込み線ＢまたはＣの少なくともいずれかが切断される。したがって、対象物に巻きつけられた本発明の巻きつけラベルは、破損させることなしに対象物から取り外すことができない。即ち、本発明の巻きつけラベルは、上記切り込み線の存在により、一度使用された後、取り外しの際に破損が生じ、再使用に足る状態ではなくなるため、再使用を防止することができる。
【００１７】
尚、対象物に巻きつけられた巻きつけラベルを取り外す際に、上記感圧接着剤層領域以外の領域を切断することによっても、当然、巻きつけラベルを取り外すことができるが、かかる場合には、巻きつけラベルの一部が切断されるので、再使用が不可能であることはいうまでもない。
【００１８】
上述する本発明の巻きつけラベルは、一時駐車整理券や、清算済みを示すために買い物カゴに巻きつけられるための巻きつけラベルとして使用された後、破損なしに対象物から取り外せないことから、不正な再使用を禁止することができる。尚、本発明の効果として、接着領域（即ち、圧着された２箇所の感圧接着剤層）を引き剥がした際に少なくとも一部が切断する、とは、人が手で２箇所の感圧接着剤層を引き剥がす行為において切り込み線の切断が生じるということを意味する。
【００１９】
また本発明の再使用防止機能付き巻きつけラベルは、上述する一時駐車整理券や、清算済みを示すために買い物カゴに巻きつけられるための巻きつけラベルとしての使用に限定されず、たとえば、イベント会場などにおいて正規入場者であることを示すために、入場者の手首に巻きつけるなど、現在の状況を簡易的に示すためのラベルとして、種々の分野で使用することができる。
【図面の簡単な説明】
【００２０】
【図１】１Ａは、本発明の巻きつけラベルの一実施態様を示す側面図であり、１Ｂは、本発明の巻きつけラベルの他の実施態様を示す側面図である。
【図２】図２Ａ乃至図２Ｄは、本発明の巻きつけラベルにおいて、特定の切り込み線が設けられる態様の例を示すための上面図である。
【図３】図３Ａ乃至図３Ｃは、本発明の巻きつけラベルにおける切り込み線の態様の例を示す部分上面図である。
【図４】図４Ａは、ラベルの一方側の面に、２箇所の感圧接着剤層領域が設けられた本発明の巻きつけラベルの巻きつけ状態を示す斜視図であり、図４Ｂは、ラベルの両面にそれぞれ感圧接着剤層領域が設けられた本発明の巻きつけラベルの巻きつけ状態を示す斜視図である。
【発明を実施するための形態】
【００２１】
以下に、図面を用いて、本発明の巻きつけラベルを実施するための形態について説明する。
【００２２】
図１Ａは、本発明の再使用防止機能つき巻きつけラベルの一実施態様を示す側面図であり、図１Ｂは、本発明の巻きつけラベルの他の実施態様を示す側面図である。図１Ａに示される巻きつけラベル１は、略長方形の基材シート３の一方面上において、一方の端部（紙面に向かって左側）に、余白を残して感圧接着剤層４が形成され、他方の端部（紙面に向かって右側）に、余白を残して感圧接着剤層５が形成されている。そして、基材シート３の感圧接着剤層４、５を有する領域が、それぞれ感圧接着剤層領域８、８’となる。
図１Ｂに示される巻きつけラベル２は、略長方形の基材シート３の一方面上において、一方の端部（紙面に向かって左側）に、余白を残して感圧接着剤層６が形成され、また、基材シート３の他方面上において、他方の端部（紙面に向かって右側）に、余白を残して感圧接着剤層７が形成されている。そして、基材シート３の感圧接着剤層６、７を有する領域が、それぞれ感圧接着剤層領域８、８’となる。
【００２３】
このように、本発明の巻きつけラベルにおける感圧接着剤層は、基材シートの一方面上に２箇所形成されてもよいし、あるいは、両面に１箇所ずつ形成されてもよい。
【００２４】
次に、上記巻きつけラベル１を例にして、本発明における切り込み線について説明する。図２Ａ乃至２Ｄは、巻きつけラベル１の上面図であって、切り込み線の設け方の違いによる態様の例を示す図面である。
【００２５】
図２Ａに示される巻きつけラベル１において、感圧接着剤層４を有する感圧接着剤層領域８の周縁であって、基材シート３端部側に位置する周縁を外側周縁１２とし、基材シート３中央側に位置する周縁を内側周縁１１とする。また、感圧接着剤層５を有する感圧接着剤層領域８’の周縁であって、基材シート３端部側に位置する周縁を外側周縁１２’とし、基材シート３中央側に位置する周縁を内側周縁１１’とする。
そして、感圧接着剤層領域８の内側周縁１１の近傍であって、内側周縁１１の外側（即ち、感圧接着剤層領域８の外側）に、切断部と非切断部とが適当な間隔で交互に直線上に形成されることによりなる破線である切り込み線１３（切り込み線Ａ）が形成され、且つ、内側周縁１１の近傍および外側周縁１２の近傍を除く感圧接着剤層領域８内において、切断部と非切断部とが適当な間隔で交互に直線上に形成されることによりなる破線である切り込み線１４（切り込み線Ｃ）が形成されている。
【００２６】
また、巻きつけラベル１における２箇所の感圧接着剤層４、５は、いずれも、基材シートの短軸方向において伸長する一本の帯状形状で形成されている。
【００２７】
図２Ｂ乃至図２Ｄは、本発明の巻きつけラベル１であって、切り込み線の設けられる位置が異なること以外は、図２Ａに示される巻きつけラベルと同様である。
【００２８】
図２Ｂに示される巻きつけラベル１は、感圧接着剤層領域８の内側周縁１１の近傍であって、内側周縁１１の外側（即ち、感圧接着剤層領域８の外側）に切り込み線１３（切り込み線Ａ）が形成され、且つ、外側周縁１２の近傍であって、外側周縁１２の外側（即ち、感圧接着剤層領域８の外側）に切り込み線１５（切り込み線Ｂ）が形成されている。
【００２９】
図２Ｃに示される巻きつけラベル１は、感圧接着剤層領域８の内側周縁１１の近傍であって、内側周縁１１の内側（即ち、感圧接着剤層領域８内）に切り込み線１３（切り込み線Ａ）が形成され、且つ、感圧接着剤層領域８’の外側周縁１２’の近傍であって、外側周縁１２’の外側（即ち、感圧接着剤層領域８’の外側）に切り込み線１５’（切り込み線Ｂ）が形成されている。
【００３０】
図２Ｄに示される巻きつけラベル１は、感圧接着剤層領域８の内側周縁１１の近傍であって、内側周縁１１の内側（即ち、感圧接着剤層領域８内）に切り込み線１３（切り込み線Ａ）が形成され、且つ、感圧接着剤層領域８’の内側周縁１１’の近傍および外側周縁１２’の近傍を除く感圧接着剤層領域８’内において切り込み線１４’（切り込み線Ｃ）が形成されている。
【００３１】
以上に例示されるように、本発明において、切り込み線は、少なくとも所定の位置に２本形成される。そして上記２本の切り込み線のうちの一方（切り込み線Ａ）は、１つの感圧接着剤層領域の内側近傍において設けられる。そして、もう１本の切り込み線（切り込み線ＢまたはＣ）は、切り込み線Ａが近傍に設けられる感圧接着剤層領域側に設けられてもよいし（図２Ａおよび図２Ｂを参照）、あるいは、切り込み線Ａが近傍に設けられる感圧接着剤層領域とは異なる感圧接着剤層領域側に設けられてもよい（図２Ｃおよび図２Ｄを参照）。
【００３２】
ここで、本発明において「内側周縁の近傍」、あるいは「外側周縁の近傍」というときの近傍の範囲は、ちょうど周縁上、および、周縁上を外れ感圧接着剤層領域の外側（周縁外側）、および、周縁上を外れ感圧接着剤層領域内（周縁内側）のいずれも含む。また周縁上を外れる切り込み線の位置は、互いに接着する感圧接着剤層を手で引き剥がそうとしたときに、引き剥がす力が切り込み線にかかることによって、該切り込み線が切断される程度に周縁に近い位置に調整して設けられる。好ましくは、上記内側周縁近傍が、上記内側周縁の外側２ｍｍ以内、内側２ｍｍ以内の範囲であり、上記外側周縁近傍が、上記外側周縁の外側２ｍｍ以内、内側２ｍｍ以内の範囲であって、当該範囲において切り込み線が設けられることが好ましい。
【００３３】
このように、本発明において、切り込み線が、感圧接着剤層領域の近傍、あるいは感圧接着剤層領域内に設けられることによって、互いに接着する感圧接着剤層を引き剥がすためにかけられた力が、該切り込み線にもかかり、互いに接着された感圧接着剤層領域が引き剥がされるのに先んじて、あるいは引き剥がされるのと同時に、上記切り込み線の少なくとも一部が切断される。
【００３４】
図２Ａ乃至図２Ｄでは、いずれも、切り込み線が、切断部と非切断部とが適当な間隔で交互に直線上に形成されてなる破線である態様を示したが、本発明における切り込み線は、これに限定されるものではない。本発明における切り込み線は、本発明の趣旨を逸脱しない範囲において、種々の切り込み線の態様を採用することができる。
【００３５】
たとえば、本発明における切り込み線の態様の例を、図３Ａ乃至３Ｃに示す。図３Ａ乃至図３Ｃは、いずれも、感圧接着剤層領域８において、内側周縁１１の近傍に切り込み線１３ａ、１３ｂ、１３ｃがそれぞれ設けられており、また、内側周縁１１近傍と外側周縁１２の近傍を除く感圧接着剤層領域８内に切り込み線１４ａ、１４ｂ、１４ｃがそれぞれ設けられている。尚、直線上に形成される切り込み線以外の切り込み線を採用する場合には、切り込み線を構成する切込み部の一部が、内側周縁近傍、あるいは、外側周縁近傍内に存在し、そのほかの部分が、内側周縁近傍、あるいは外側周縁近傍の範囲を外れていてもよいが、切り込み線全体が内側周縁近傍、あるいは外側周縁近傍の範囲内にあることがより望ましい。
【００３６】
より具体的には、切り込み線１３ａおよび１４ａは、切断部１６と非切断部１７とが適当な間隔で交互に直線上に形成されてなる破線として形成されている。また、切り込み線１３ｂおよび１４ｂは、切断部１６と非切断部１７とが適当な間隔で交互に波線上に形成されてなる破線として形成されている。また、切り込み線１３ｃおよび１４ｃは、切断部１６と非切断部１７とが適当な間隔で交互にジグザグ線上に形成されてなる破線として形成されている。切断部１６と非切断部１７との長さの比率、およびそれぞれの寸法は、特に限定されないが、たとえば、切り込み線が、図３Ａの態様のように切断部と非切断部とが適当な間隔で交互に直線上に形成されてなる破線である場合には、切断部の長さｘと、上記非切断部の長さｙとの比率は、ｘ：ｙ＝３：１〜６０：１であることが望ましく、ｘ：ｙ＝２０：１〜４０：１であることがより望ましい。また、非切断部の長さｙは、任意に決定することができるが、特に０．１ｍｍ以上１ｍｍ以下であることが望ましく、０．１ｍｍ以上０．７ｍｍ以下であることがより望ましく、０．２ｍｍ以上０．５ｍｍ以下であることがさらに望ましい。
【００３７】
尚、上記説明においては、いずれの切り込み線についても、基材シートの短軸方向に伸長し、且つ、基材シートの幅全域に亘るよう形成された態様を示したが、本発明における切り込み線は、上記態様に限定されず、引き剥がしの際に切断可能な範囲で、切り込み線の長さを設計してよい。したがって、必ずしも基材シートの幅略全長に亘る切り込み線を設ける必要はないが、幅略全長に亘る切り込み線を設けた方が、互いに接着する感圧接着剤層を引き剥がす際に、切断がされ易いため、好ましい。
【００３８】
本発明における切り込み線は、ミシン目を形成する装置あるいは、所望の箇所に型刃を押し当てて切り込む型押し機など、基材に所望の切り込み線を形成することが可能な従来公知の装置を適宜選択して形成することができる。そして、上述では、１つの巻きつけラベルに設けられる２本の切り込み線は、いずれも同様の切り込み線を２本設ける態様を示したが、１つの巻きつけラベルに設けられる２本の切り込み線は、本発明の趣旨に逸脱しない範囲において、異なる切り込み方によりなる切り込み線の組み合わせであってもよい。
【００３９】
次に、本発明の巻きつけラベルを対象物に巻きつけた状態について図４Ａおよび４Ｂを用いて説明する。図４Ａは、本発明の巻きつけラベル１を対象物２１に巻きつけた状態を示す斜視図である。巻きつけラベル１は、対象物２１に巻きつけた状態で、感圧接着剤層４、５を互いに圧着させることによって、接着領域２２が形成されている。紙面上下方向において、接着領域２２の略中央には、切り込み線１４が、接着領域２２の下端すぐ下に切り込み線１３が存在する。
一方、図４Ｂは、本発明の巻きつけラベル２を対象物２１に巻きつけた状態を示す斜視図である。巻きつけラベル２は、対象物２１に巻きつけた状態で、感圧接着剤層６、７を互いに圧着させることによって、接着領域２２が形成されている。紙面上下方向において、接着領域２２の略中央には、切り込み線１４が、接着領域２２の上端すぐ上に切り込み線１３が存在する。
【００４０】
図４Ａおよび図４Ｂに示されるように、対象物２１に巻きつけられた巻きつけラベル１、または２は、使用後は、対象物２１から取り外される。一般的には、２箇所の感圧接着剤層間であって輪になった部分をやぶくなどして、巻きつけラベルが取り外されるため、巻きつけラベル１または２は破断するため、再利用することはできない。
また、不正に再利用するために、巻きつけラベル１または２を破断させることなく対象物２１から取り外そうと、接着領域２２を丁寧に引き剥がそうとした場合であっても、引き剥がし方向によらず、切り込み線１３および１４の少なくとも一部が切断されるため、切り込み線１３および１４の存在により、巻きつけラベル１または２は、破断なしに対象物２１から取り外すことができない。
【００４１】
基材シート：
次に、本発明に用いられる基材シートについて、説明する。本発明の基材シートの形状は、略長方形であって、その寸法は、特に制限されない。たとえば、一次駐車整理券、あるいは清算済みの買い物カゴに巻きつけられる巻きつけラベルとして長方形状の基材シートが採用された場合においては、幅方向５０〜７０ｍｍ、縦方向３００〜３１０ｍｍ程度の寸法の基材シートを用いることができるが、これに限定されるものではない。
【００４２】
上記基材シートの材質は、特に制限はないが、耐熱性に優れ感圧接着剤層を容易に形成することができるという観点からはパルプ紙が好ましい。但し、これに限定されず、感圧接着剤層を上面に形成可能であって、且つ、対象物に容易に巻きつけることができる部材であれば、本発明の基材シートとして適宜選択して使用してよく、たとえば、プラスチック系の合成紙などを用いることもできる。また、基材シートとして紙部材を選択した場合には、基材シートの厚みは、特に限定されないが、接着剤層を形成した際に、必要以上に基材シートがたわむことが防止されるよう留意し、また用途等を勘案して適宜選択されることが望ましい。市販のパルプ紙でいえば、中厚、厚口、特厚などの規定の厚みの中から、適宜選択してよい。
【００４３】
本発明における基材シートには、用途に応じて適宜、文字や絵柄を印刷することができる。たとえば、一時駐車整理券として本発明の巻きつけラベルを使用する場合には、駐車の日時などの必要事項が予め印刷される。また清算済みの買い物カゴに巻きつけられることを予定する本発明の巻きつけラベルであれば、「お買い物のお会計は終了しております」など清算済みであることを示す文言などが予め印刷されていてよい。
【００４４】
感圧接着剤：
本発明における感圧接着剤層を構成する感圧接着剤とは、感圧接着剤層同士を手で押さえつければ接着するが、感圧接着剤層と、基材シート表面とを手で押さえつけただけでは接着することがない接着剤をいい、感圧粘着剤を含む。感圧接着剤層がこのような感圧接着剤で構成されることにより、感圧接着剤層同士を互いに当接させて押し圧しない限り接着しないので、本発明の巻きつけラベルを重ねて包装し、あるいは収納することできる。上記感圧接着剤の成分、形態には制限はないが、例えばサイデン化学株式会社製の天然ゴムラテックス系接着剤（エマルジョン）「サイビノール  加圧接着剤  Ｋ」などを挙げることができる。
【００４５】
感圧接着剤層：
上記感圧接着剤を用いて、基材シート上に部分的に２箇所、形成される本発明の感圧接着剤層は、互いに当接し、押し圧することによって接着せしめ、これによって、巻きつけラベルを対象物に巻きつけることを可能とするために設けられるものである。上述において図面を用いて説明した感圧接着剤層は、いずれも長方形状の基材シートの幅方向に伸長する１本の帯状領域全体に感圧接着剤を塗布して形成される態様を示したが、感圧接着剤層の形状は、これに限定されるものではない。たとえば長方形状の基材シートの短軸方向、あるいは長軸方向などの任意の方向において、複数のラインとして感圧接着剤を塗布し、該複数のライン全体として帯状となるよう感圧接着剤層を形成し、あるいは感圧接着剤を散点状に塗布して形成されたドットの集合領域全体が帯状となるよう感圧接着剤層を形成するなど、任意の形状で設けることができる。
【００４６】
また、上述する本明細書において、感圧接着剤層は、いずれも基材シートの端部に余白を残して形成される例を用いて説明したが、当該説明は本発明を何ら限定するものではなく、本発明において、基材シートの端部に余白を残さず感圧接着剤層が形成される態様を除外するものではない。
【００４７】
以上に説明する本発明の巻きつけラベルは、その製造方法を特に限定されるものではない。たとえば、基材シートを複数枚取りできる、適当な大きさのパルプ紙を用意する。そして、該パルプ紙の長軸方向に並列に複数の略長方形の基材シートを印刷し、次いで、感圧接着剤層領域の形成が予定される箇所に、所望の切り込み線を、ミシン目を形成する裁断装置あるいは型押し装置などによって基材シートに形成する。次いで、基材シートの両端部側に感圧接着剤層が形成されるよう、上記パルプ紙の長軸方向に２列、感圧接着剤を塗布する。感圧接着剤の塗布方法は特に限定されず、従来公知の接着剤（粘着剤）の塗布方法、あるいは印刷方法によって実施することができる。たとえば、フレキソ印刷方式の感圧接着剤塗布装置を使用することができる。
続いて、感圧接着剤が塗布されたパルプ紙を、ベルト・コンベヤー等によって移動させて、乾燥装置を通すことによって乾燥させる。あるいはパルプ紙に塗布された感圧接着剤の乾燥は、自然乾燥であってもよい。最後に、パルプ紙の長軸方向に並列する複数の基材シートを裁断し、本発明の巻きつけラベルが完成される。
【００４８】
尚、基材シートの両面側に、感圧接着剤層が形成される態様の本発明では、まず一方側の感圧接着剤層として感圧接着剤をパルプ紙に塗布した後、該感圧接着剤層を乾燥させ、次いで、パルプ紙の他面側に同様に感圧接着剤を塗布して、両面側に感圧接着剤層を形成することができる。
【００４９】
また上述する本発明の製造方法の例では、感圧接着剤を塗布する前のパルプ紙に所望の形状を切り込むことによって本発明における切り込み線を形成する方法を説明したが、本発明の巻きつけラベルを製造するにあたり、パルプ紙に、先に感圧接着剤を塗布し、その後、感圧接着剤層領域を含む所定の領域を切り込むことによって切り込み線を形成してもよい。
【符号の説明】
【００５０】
１、２    再使用防止機能付き巻きつけラベル
３    基材シート
４、５、６、７    感圧接着剤層
８、８’  感圧接着剤層領域
１１、１１’  感圧接着剤層領域の内側周縁
１２、１２’  感圧接着剤層領域の外側周縁
１３    切り込み線Ａ
１４、１４’    切り込み線Ｃ
１５、１５’    切り込み線Ｂ
１３ａ、１３ｂ、１３ｃ、１４、１４ａ、１４ｂ、１４ｃ、１４’、１５、１５’  切り込み線
１６  切断部
１７  非切断部
２１  対象物
２２  接着領域
【図１】
2011085624.tif 000003
【図２】
2011085624.tif 000004
【図３】
2011085624.tif 000005
【図４】
2011085624.tif 000006